(57)【要約】【課題】      容易に止着ピン通しが出来ると共に服の生地に傷を付けないで取り付けられるピンの止着部を有する服を提供することである。【解決手段】  ピンの止着部１は、釣服２の布材２ａより硬質で可撓性を有する板状合成樹脂で断面し字形に形成されて一側保護部１ａを釣服２の前身頃のスライドチャック取付部ａに重ねて縫着され、ピンの止着部１の他側は前方に向けて屈曲されて湾曲形状の保持部１ｂが形成され、屈曲部１ｃより他側側の保持部１ｂに止着ピン３を挿通する一対の孔１ｄ、１ｅが穿設されている。  保護部１ａと保持部１ｂの間には空間ｂが設けられている。  ピンを挿通する一対の孔１ｄ、１ｅには例えばピンオンリ−ル４の止着ピン３が挿通されてピンオンリ−ル４が止着される。【選択図】        図４
2009007719.tif 000002
【特許請求の範囲】
【請求項１】
ピンの止着部を取り付けた服において、前記ピンの止着部は、板状合成樹脂の一側を服に添設して保護部とし、他側を前記保護部の前方に湾曲形状で延設して保持部を形成し、該保持部は、ピンを挿通する一対の孔を有していることを特徴とするピン止着部を有する服。
【請求項２】
保持部は保護部の前側に空間を介して配置されていることを特徴とする請求項１記載のピン止着部を有する服。
【発明の詳細な説明】
【技術分野】
【０００１】
本発明は、安全ピン等を取り付けるピン止着部を有する服に関する。
【背景技術】
【０００２】
従来釣服にピンオンリ−ル等を安全ピン形状のピンで止着保持する時は特許文献１のように釣服にピンオンリ−ル止着片を固定し、この止着片に略直線トンネル状の針通し部を設け、針通し部はその内壁面で止着ピンをガイドする構成としている。
しかし、細い針通し部に止着ピンを通すので通し難く、止着片を固定した釣服の生地に止着ピンが刺さって生地を傷めることがある。
【特許文献１】特開２００２−２３５２２５号公報
【発明の開示】
【発明が解決しようとする課題】
【０００３】
解決しようとする問題点は、細い針通し部に止着ピンを通すので通し難く、止着片を固定した釣服の生地に止着ピンが刺さって生地を傷めることである。
【０００４】
本発明の目的は前記欠点に鑑み、容易に止着ピン通しが出来ると共に服の生地に傷を付けないで取り付けられるピン止着部を有する服を提供することである。
【課題を解決するための手段】
【０００５】
本発明の請求項１は、ピンの止着部を取り付けた服において、前記ピンの止着部は、板
状合成樹脂の一側を服に添設して保護部とし、他側を前記保護部の前方に湾曲形状で延設して保持部を形成し、該保持部は、ピンを挿通する一対の孔を有していることを要旨とするものである。
本発明の請求項２は、保持部は保護部の前側に空間を介して配置されていることを要旨とするものである。
【発明の効果】
【０００６】
本発明の請求項により、止着ピンがスム−ズに挿通されると共に、止着ピンの先端が服の布材に刺さることが防止される。
【発明を実施するための最良の形態】
【０００７】
ピンの止着部１は、釣服２の布材２ａより硬質で、可撓性を有する板状合成樹脂で断面し字形に形成されて一側の保護部１ａを釣服２の前身頃のスライドチャック取付部ａに重ねて縫製で縫着されている。
ピンの止着部１の他側は前方に向けて屈曲されて湾曲形状の保持部１ｂが形成され、屈曲部１ｃより他側側の保持部１ｂに止着ピン３を挿通する一対の孔１ｄ、１ｅが穿設されている。
保護部１ａと保持部１ｂの間には空間ｂが設けられている。
保護部１ａは取付部材ａを当てて布材２ａに縫製で縫着するほか屈曲部１ｃ側で縫着してもよいし、屈曲部１ｃ側の縫着を省略してもよい。
ピンを挿通する一対の孔１ｄ、１ｅには例えばピンオンリ−ル４の止着ピン３が挿通されてピンオンリ−ル４が止着される。
ピンオンリ−ルに代えて入漁許可証や名札等を安全ピンで止着してもよい。
【実施例１】
【０００８】
以下、図示の実施例によって本発明を説明すると、図１から図５は第１実施例で図１はピンの止着部にピンオンリ−ルを止着した釣服の正面図、図２は図１の要部拡大正面図、図３は図２からピンオンリ−ルを取り外したピンの止着部の要部拡大正面図、図４はピンの止着部とピンオンリ−ルの拡大断面側面図、図５はピンの止着部の拡大断面側面図とピンオンリ−ルの拡大側面図である。
【０００９】
ピンの止着部１は、釣服２の布材２ａより硬質で可撓性を有する板状合成樹脂で形成されて一側の保護部１ａを釣服２の前身頃のスライドチャック取付部材ａに重ねて縫着で取り付けられている。
板状合成樹脂の他側は前方に向けて屈曲された屈曲部１ｃを介して保護部１ａの前方に湾曲形状の保持部１ｂが形成され、屈曲部１ｃより他側側の保持部１ｂに止着ピン３を挿通する一対の孔１ｄ、１ｅが互いの孔の位置を左右と上下に配して複数組穿設されている。
釣服２に止着した保護部１ａは釣服２の布材２ａに添設され、保持部１ｂの孔１ｄ、１ｅに挿通しようとした止着ピン３は保護部１ａに当り、釣服２の布材２ａに達して刺さることを防止して釣服２の布材２ａを保護している。
保護部１ａと保持部１ｂの間には空間ｂが設けられている。
【００１０】
保護部１ａは取付部材ａを当てて布材２ａに縫着で取り付けるほか図５のように屈曲部１ｃ側で縫着で取り付けてもよい。
保持部１ｂは保護部１ａから屈曲部１ｃで前方に屈曲されて設けられ、前方に突状に湾曲し、この突状の最も突出した部分の両側にそれぞれ２個１組の一対の孔１ｄ、１ｅが形成されている。
ピンを挿通する一対の孔１ｄ、１ｅには例えばピンオンリ−ル４の止着ピン３が挿通されてピンオンリ−ル４が止着される。
止着ピン３は一対の孔１ｄ、１ｅに挿通する時に保護部１ａの裏側の空間ｂを通るが、保持部１ｂが湾曲形状のため空間ｂが広がって止着ピン３の挿通が容易に行うことができる。
ピンオンリ−ルに代えて入漁許可証や名札等を安全ピンで止着してもよい。
保持部１ｂは中央が最も高く突出し、周辺下りになるように湾曲しているため、上下方向のみならず左右方向にも湾曲する形状となっている。
ピンの止着部１は、可撓性を有する板状合成樹脂を折曲して保護部１ａと保持部１ｂが一体に形成されている。
【００１１】
ピンオンリ−ル４は、合成樹脂や金属材でカップ状に形成されたケ−ス本体５と合成樹脂や金属材でカップ状に形成された蓋部６が組み合わされてケ−ス本体５の開口５ａを蓋部６で閉塞されている。
ケ−ス本体５の外側には支持ピン７で衣服等への止着ピン３を有する止着具８の取付部８ａが回動自在に支持され、止着具８に弾性金属材で形成された止着ピン３が軸１０で保持されている。
ケ−ス本体５と蓋部６の内部にはリ−ル部９が支持ピン７で回転自在に支持され、リ−ル部９の内側凹部９ａ内に渦巻きばね１１が収容されている。
リ−ル部９の糸巻き部９ｂには糸１２が巻回されている。
糸１２の先端には係止具１３が取り付けられ、係止具１３に爪切りなどの魚釣用小道具１４が係止されている。
【００１２】
ピンの止着部１の保持部１ｂに設けられた一対の孔１ｄ、１ｅに止着ピン３が挿通されるときは、止着ピン３の一端３ａが一方の孔１ｄに挿入されて一端３ａで他方の孔１ｅを探して他方の孔１ｅに押し込まれる。
一端３ａが一方の孔１ｄから他方の孔１ｅに挿入されるまでに空間ｂを通って挿入されるので、細い針通し部を通すよりスム−ズに挿通される。
一対の孔１ｄ、１ｅに止着ピン３が挿通されるとき異常な方向に差し込んでも止着ピン３の先端が保護部１ａに当たり釣服２の布材２ａの傷付を防止し、保護部１ａを突き抜けて釣服２の布材２ａに刺さることが防止される。
【００１３】
前記のようにピンの止着部が構成されると、釣服２の布材２ａに沿って配された一側の保護部１ａの前側に空間ｂを設けて形成され、湾曲形状に形成された保持部１ｂに設けられた一対の孔１ｄ、１ｅに止着ピン３が挿通されるので、止着ピン３がスム−ズに挿通される。
止着ピン３の先端が保護部１ａを突き抜けて釣服２の布材２ａに刺さることはない。
なお、保護部１ａはピンの止着部１の釣服２への取付け部を兼ねているが、図４のように保護部１ａの一端を取り付ける他に、図５のように屈曲部１ｃ近傍を縫着し、保護部１ａの両端を取り付けてもよい。
【実施例２】
【００１４】
図６、図７は第２実施例で図６はピンの止着部とピンオンリ−ルを止着した釣服の要部拡大正面図、図７はピンの止着部とピンオンリ−ルの拡大断面側面図である。
【００１５】
第２実施例ではピンの止着部１′は、釣服２の布材２ａより硬質で可撓性を有する板状合成樹脂で断面変形ｂ字形に形成されて取付部１ｇを釣服２の前身頃のポケット１５の下側取付部ｃに重ねて縫着で取り付けられている。
ピンの止着部１′の釣服２に固定しないで添設した保護部１ａから延長して屈曲部１ｃで上方へ折り返されて前方に突出する湾曲形状の保持部１ｆが形成されてその先は釣服２側に向けて屈曲されて取付部１ｇが形成されている。
保持部１ｆに止着ピン３を挿通する一対の孔１ｄ、１ｅが複数組穿設されている。
保護部１ａと保持部１ｆの間には空間ｂが設けられている。
取付部１ｇは釣服２の布材２ａに縫着で取り付けるほか保護部１ａを布材２ａに縫着してもよい。
ピンを挿通する一対の孔１ｄ、１ｅには例えばピンオンリ−ル４の止着ピン３が挿通されてピンオンリ−ル４が止着される。
【実施例３】
【００１６】
図８から図１０は第３実施例で図８はピンの止着部とピンオンリ−ルを止着した釣服の要部拡大正面図、図９はピンの止着部とピンオンリ−ルの拡大断面側面図、図１０はピンの止着部とピンオンリ−ルの他の拡大断面側面図である。
【００１７】
第３実施例ではピンの止着部１″は、釣服２の布材２ａより硬質で可撓性を有する板状合成樹脂で筒状に形成されて一側保護部１ｉを釣服２の前身頃に縫着で添設するように取り付けられている。
ピンの止着部１″の保護部１ｉから円筒状に延長して湾曲状の保持部１ｊが形成されている。
保持部１ｊに止着ピン３を挿通する一対の孔１ｄ、１ｅが穿設されている。
保護部１ｉと保持部１ｊの間には空間ｄが設けられている。
ピンを挿通する一対の孔１ｄ、１ｅには例えばピンオンリ−ル４の止着ピン３が挿通されてピンオンリ−ル４が止着される。
また、ピンの止着部１″は筒状に形成されているので図１０のように空間ｄ内に止着ピン３を筒状の上下の開口から挿通してピンオンリ−ル４を止着することが出来る。
【産業上の利用可能性】
【００１８】
本発明は安全ピン等を取り付けるピンの止着部を有する服全般に利用できる。
【図面の簡単な説明】
【００１９】
【図１】第１実施例で、ピンの止着部とピンオンリ−ルを止着した釣服の正面図である。
【図２】同図１の要部拡大正面図である。
【図３】同図２からピンオンリ−ルを取り外したピンの止着部の要部拡大正面図である。
【図４】同ピンの止着部とピンオンリ−ルの拡大断面側面図である。
【図５】同ピンの止着部の拡大断面側面図とピンオンリ−ルの拡大側面図である。
【図６】第２実施例で、ピンの止着部とピンオンリ−ルを止着した釣服の要部拡大正面図である。
【図７】同ピンの止着部とピンオンリ−ルの拡大断面側面図である。
【図８】第３実施例で、ピンの止着部とピンオンリ−ルを止着した釣服の要部拡大正面図である。
【図９】同ピンの止着部とピンオンリ−ルの拡大断面側面図である。
【図１０】同ピンの止着部とピンオンリ−ルの他の拡大断面側面図である。
【符号の説明】
【００２０】
１、１′、１″  ピンの止着部
１ａ、１ｉ  保護部
１ｂ、１ｆ、１ｊ  保持部
１ｄ、１ｅ  孔
２  釣服
２ａ  布材
３  止着ピン
ｂ、ｄ  空間
【図１】
2009007719.tif 000003
【図２】
2009007719.tif 000004
【図３】
2009007719.tif 000005
【図４】
2009007719.tif 000006
【図５】
2009007719.tif 000007
【図６】
2009007719.tif 000008
【図７】
2009007719.tif 000009
【図８】
2009007719.tif 000010
【図９】
2009007719.tif 000011
【図１０】
2009007719.tif 000012